【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
累進眼鏡レンズ（１０）のための改善された設計を特定するコンピュータ実装方法（１００、２００）において、
ａ）装用者の眼（３０）の収差情報を提供するステップ（１１０、２１０）であって、前記収差情報は前記装用者の眼（３０）の低次収差と前記装用者の眼（３０）の高次収差を含み、前記低次収差は二次までで、これを含む収差であり、二次収差は、前記装用者の眼（３０）の瞳孔の中心の距離の二乗の関数として変化するようなステップと、
ｂ）前記累進眼鏡レンズ（１０）の初期設計光学パワー分布及び対応する初期設計を提供するステップ（１２０、２２０）であって、前記初期設計光学パワー分布及び対応する初期設計は、前記装用者の眼（３０）の前記低次収差と前記累進眼鏡レンズの前記低次収差のみを考慮に入れ、前記装用者の眼（３０）の正面の前記累進眼鏡レンズ（１０）の所定の位置と向き及び、前記装用者が見る前記装用者の眼（３０）の正面の複数の物体のための空間内の距離と位置に関する所定のモデルを前提として提供されるようなステップと、ｃ）前記累進レンズ（１０）の前記初期設計に基づき、また、ステップａ）の前記装用者の眼（３０）の前記低次収差と前記高次収差のほか、前記累進眼鏡レンズ（１０）の前記低次収差と前記高次収差を考慮に入れ、前記装用者の眼（３０）の正面の前記累進眼鏡レンズ（１０）の前記所定の位置と向きのほか、ステップｂ）の前記装用者が見る前記装用者の眼（３０）の正面の複数の物体のための空間内の前記距離と位置に関する前記所定のモデルを前提として、前記眼（３０）により認識される認識光学パワー分布を計算するステップ（１３０、２３０）と、
ｄ）ステップｂ）の前記累進眼鏡レンズ（１０）の前記初期設計光学パワー分布を平行移動させ、及び／又はステップｂ）の前記累進眼鏡レンズ（１０）の前記初期設計光学パワー分布を回転させることにより、ステップｃ）の前記認識光学パワー分布と前記平行移動及び／又は回転された初期設計光学パワー分布との間の偏差が最小となるように改善された設計光学パワー分布を計算するステップ（１４０、２４０）と、
ｅ）前記累進眼鏡レンズ（１０）の前記改善された設計を、ステップｄ）の前記改善された設計光学パワー分布を標的設計光学パワー分布として使用することによって、前記累進眼鏡レンズの予め規定された当初設計を最適化することによって計算するステップ（１５０、２７０）と、
を含むコンピュータ実装方法。
【請求項２】
−ステップｂ）の前記初期設計光学パワー分布は複数の支持点を含み、その各々において対応する光学パワー値及び対応する重み付けが規定され、
−ステップｄ）の前記計算するステップは、その対応する光学パワー値とその対応する重み付けを有する前記複数の支持点を、前記計算された平行移動及び／又は回転にしたがって平行移動及び／又は回転させることを含み、
−ステップｅ）の前記累進眼鏡レンズの前記当初設計を前記最適化することは、前記複数の支持点の各々における、標的光学パワー値としての前記対応する光学パワー値とその対応する重み付けを含むコスト関数又はメリット関数を最小化することを含む
ことを特徴とする、請求項１に記載の方法。
【請求項３】
前記当初設計を最適化する際、以下の副次的条件の群：
−左右の眼に関する遠用部基準点及び／又は近用部基準点における個別の光学パワー値
−角膜頂点間距離
−左右の眼に関して必要な異なる特徴的倍率
−フレームの前傾角
−フレームの形状
−センタリング
−瞳孔間距離
−使用条件
−プリズムによる副次的影響の均等化に対する効果を有する、左右の眼の異なる光学パワー
の何れか少なくとも１つが考慮に入れられることを特徴とする、請求項１又は２に記載の方法。
【請求項４】
前記ステップｂ）〜ｅ）は反復的に繰り返されることを特徴とする、請求項１〜３の何れか１項に記載の方法。
【請求項５】
前記方法は、
・複数の点を特定するステップであって、前記初期設計光学パワー分布は、前記複数の点の各々における初期設計光学パワーを含むようなステップと、
・少なくとも前記複数の点の各々において、前記累進眼鏡レンズ（１０）の前記初期設計に基づいて前記眼（３０）により認識される認識光学パワーを特定することにより、前記認識光学パワー分布を特定するステップと、
をさらに含み、
前記偏差は、前記複数の点における前記認識光学パワーと前記初期設計光学パワーとの間の差の大きさの総計が最小化されるように前記平行移動及び／又は前記回転を特定することによって最小化される
ことを特徴とする請求項１〜４の何れか１項に記載の方法。
【請求項６】
各点における、又は少なくとも１つの点における前記認識光学パワーと前記初期設計光学パワーが、
−それぞれ認識乱視誤差と初期設計乱視誤差、
−それぞれ認識乱視誤差の認識軸と初期設計乱視誤差の初期設計軸
−それぞれ認識球面誤差と初期設計球面誤差
−それぞれ認識プリズム誤差と初期設計プリズム誤差、及び
−認識プリズム誤差の認識基底と認識プリズム誤差の初期基底
からなる群の何れか少なくとも１つであることを特徴とする、請求項１〜５の何れか１項に記載の方法。
【請求項７】
平行移動及び／又は回転による改善された設計光学パワー分布を計算する前記ステップ（１５０、２７０）は、考えうる平行移動及び／又は回転を含む最適化空間を画定するステップと、偏差を最小化するステップを含み、前記最適化空間は、前記考えうる平行移動及び／又は回転の範囲を含み、各平行移動の範囲は１．５ｍｍ以下の前記平行移動の大きさであり、及び／又は前記回転の範囲は１．５度以下の角度の大きさであることを特徴とする、請求項１〜６の何れか１項に記載の方法。
【請求項８】
前記初期設計を提供するステップは、
・前記眼（３０）の前記低次収差を補正する処方を特定し、前記処方と前記眼（３０）の前記収差のモデルに基づく所望の加入度数に基づいて前記初期設計光学パワー分布を特定することによって前記初期設計光学パワー分布を特定するステップであって、前記モデルは二次までであってこれを含む収差のみを含み、前記処方は、球面屈折力、円柱屈折力と円柱軸、プリズム屈折力、及びプリズム基底の何れか少なくとも１つを含むようなステップと、
・前記眼（３０）の前記収差のモデルに基づく前記初期設計光学パワー分布に基づいて前記累進眼鏡レンズ（１０）の前記初期設計を特定するステップであって、前記モデルは二次までであってこれを含む収差のみを含み、前記累進眼鏡レンズ（１０）の前記初期設計は、前記初期設計光学パワー分布を提供するレンズ形状（１０）とフィッティングパラメータを含むようなステップと、
を含むことを特徴とする、請求項１〜７の何れか１項に記載の方法。
【請求項９】
前記回転の中心は、
−前記累進眼鏡レンズ（１０）の前記初期設計の幾何学中心
−前記累進眼鏡レンズ（１０）の前記初期設計の中間累進帯の中央
からなる群の何れか少なくとも１つに設定されることを特徴とする、請求項１〜８の何れかに記載の方法。
【請求項１０】
前記累進眼鏡レンズ（１０）の前記初期設計は、累進眼鏡レンズ設計パラメータセットを含み、前記方法は、前記認識光学パワー分布と前記初期設計光学パワー分布との間の偏差がさらに最小化されるように、前記累進レンズ（１０）の前記改善された設計を特定するステップと、累進設計パラメータセットを最適化するステップを反復的に繰り返すステップをさらに含むことを特徴とする、請求項１〜９の何れかに記載の方法。
【請求項１１】
前記累進眼鏡レンズ設計パラメータセットは、内寄せ（２６）、中間累進帯（２４）の長さ、及び球面屈折力の最大勾配の何れか少なくとも１つを含むことを特徴とする、請求項１０に記載の方法。
【請求項１２】
前記累進眼鏡レンズ設計パラメータセットの前記最適化は、前記累進眼鏡レンズ設計パラメータセットを含む最適化空間を確立し、前記最適化の各ステップにおいて、新しい累進眼鏡レンズ設計パラメータセットに基づいて新しい初期設計を特定し、その新しい初期設計に基づいて新しい改善された設計を特定することによって行われることを特徴とする、請求項１０又は１１に記載の方法。
【請求項１３】
前記累進眼鏡レンズ（１０）の前記改善された設計を特定する前記ステップは、前記累進眼鏡レンズ（１０）の前記初期設計を平行移動及び／又は回転させることだけを含むことを特徴とする、請求項１〜１２の何れかに記載の方法。
【請求項１４】
前記高次収差は三次及び／又は四次収差のみを含むことを特徴とする、請求項１〜１３の何れかに記載の方法。
【請求項１５】
各最適化は最小二乗最適化法により行われることを特徴とする、請求項１〜１４の何れかに記載の方法。
【請求項１６】
前記眼（３０）の前記収差情報は波面測定結果であることを特徴とする請求項１〜１５の何れかに記載の方法。
【請求項１７】
前記累進眼鏡レンズ（１０）の前記初期設計の前記平行移動及び／又は前記回転は、前記累進眼鏡レンズ（１０）の前記初期設計と前記眼（３０）との間の距離方向（２８）に対して斜め又は垂直な平面内で特定されることを特徴とする、請求項１〜１６の何れかに記載の方法。
【請求項１８】
累進レンズ（１０）の製造方法において、
・請求項１〜１７の何れかの方法により前記累進眼鏡レンズ（１０）の改善された設計を特定するステップと、
・特定された改善された設計で前記累進眼鏡レンズ（１０）を製造するステップと、
を含む方法。
【請求項１９】
請求項１〜１８の何れかに記載の方法を実行するように構成された処理ユニットを含む、累進眼鏡レンズ（１０）のための改善された設計を特定するシステム。
【請求項２０】
非一時的コンピュータプログラムであって、前記コンピュータプログラムがコンピュータ上で実行されると、請求項１〜１８の何れかに記載の方法を実行するように構成されたプログラムコードを含む非一時的コンピュータプログラム。